(57)【特許請求の範囲】
【請求項１】
ディーゼル燃料組成物を導入すべきか、又は導入を意図した内燃機関、或いはこのような内燃機関を動力とする自動車の、１４００ｒｐｍ〜２２００ｒｐｍのエンジン速度における、加速性能を向上する目的で、自動車ディーゼル燃料組成物に粘度指数（ＶＩ）向上剤を使用する方法であって、
前記粘度指数（ＶＩ）向上剤が、１種以上のスチレンモノマーブロックを有するブロック共重合体を含み、かつ
前記ディーゼル燃料組成物中の粘度指数（ＶＩ）向上剤の濃度が、０．００１〜０．５重量％である、前記使用方法。
【請求項２】
燃料成分を含有する自動車ディーゼル燃料組成物を導入すべきか、又は導入を意図した内燃機関、或いはこのような内燃機関を動力とする自動車の、１４００ｒｐｍ〜２２００ｒｐｍのエンジン速度における、加速性能を向上する目的で、自動車ディーゼル燃料組成物のための前記燃料成分に粘度指数（ＶＩ）向上剤を使用する方法であって、前記粘度指数（ＶＩ）向上剤が１種以上のスチレンモノマーブロックを有するブロック共重合体を含み、かつ
前記ディーゼル燃料組成物中の粘度指数（ＶＩ）向上剤の濃度が、０．００１〜０．５重量％である、前記使用方法。
【請求項３】
前記粘度指数向上剤（ＶＩ）が溶剤又は燃料成分に予備溶解される請求項１または２に記載の使用方法。
【請求項４】
前記ディーゼル燃料組成物中の粘度指数（ＶＩ）向上剤の濃度が、０．０５〜０．２５重量％である請求項１〜３のいずれか１項に記載の使用方法。
【発明の詳細な説明】
【技術分野】
【０００１】
本発明は自動車燃料組成物、その製造方法及び使用方法（use）、並びに内燃機関、特にディーゼルエンジンの性能を向上する方法に関する。
【背景技術】
【０００２】
多くの自動車エンジンは、燃焼シリンダーに入る空気量を増大して、動力出力を向上するターボ過給器を備えている。ターボ過給器の操作は、一般に自動車エンジンの管理システムにより調整される。
【０００３】
余り高級ではないエンジンでは、導入すべき燃料の含有量及び／又は特性を最適化すれば、多くの場合、性能の向上が可能であったが、現代のターボ過給式エンジンでは燃料配合物により性能を向上するという選択は、一層制限される傾向がある。これはエンジン管理システムが燃料吸入の変化を補償するようにプログラムされていることが多いからである。
【０００４】
ＷＯ−Ａ−２００５／０５４４１１には、自動車牽引力（ＶＴＥ）及び／又はディーゼル燃料組成物を導入すべきディーゼルエンジンの加速性能を向上する目的で、該燃料組成物に増粘性（粘度増大性）成分を使用することが記載されている。この文献は、ターボ過給式及び非ターボ過給式の両エンジンについて、約１３００ｒｐｍからそれ以上のエンジン速度範囲に亘る平均ワイドオープンスロットル（ＷＯＴ）加速時間の向上、及び２０００ｒｐｍ以上の一定のエンジン速度で定常状態の自動車牽引力（ＶＴＥ）試験の向上を例示している。燃料組成物の増粘に使用される成分としては、特にフィッシャー・トロプシュ誘導ディーゼル成分のような炭化水素ディーゼル燃料成分、及び鉱物源でも合成源であってもよく、またフィッシャー・トロプシュ誘導されてもよい油が含まれる。
【０００５】
燃料の粘度、したがって、エンジン性能に著しい影響を与えるため、このような添加成分は、通常、少なくとも５重量％、多くの場合、それ以上の濃度で使用する必要がある。しかし、増粘成分の幾つかは、特に高温では他の燃料特性、例えば蒸留又は常温流れ特性に負の影響を与え、得られる燃料組成物を所望の規格内に保持することが困難になる可能性がある。
【０００６】
自動車燃料組成物の増粘は些細な事ではない。ＷＯ−Ａ−２００５／０５４４１１に提案されているように、添加燃料成分を導入すると、製油所操作、並びに燃料の供給、貯蔵及び分配システムに影響を与える可能性がある。これにより、燃料供給コストが増大する可能性があり、幾つかの市場では、例えば生産者がベース燃料自体に対し殆ど制御しなければ、非常に達成困難になる可能性がある。また、この一層明確な増粘性成分は、利用可能性も制限されるかも知れない。
【０００７】
ＷＯ−Ａ−２００５／０５４４１１は、低エンジン速度での加速性能の向上について特に言及していないことも注目される。運転者が加速応答の向上に一層気づき易い可能性があった場合、エンジンは、依然として低速度である。
【発明の概要】
【発明が解決しようとする課題】
【０００８】
自動車エンジン、特にターボ過給式エンジン自体を構造的又は操作的に変化させるよりも、該エンジンに導入すべき燃料の組成及び／又は特性を変化させる方が一層簡単で融通性があり、かつコスト効果的である道筋を提供することが期待できるので、このようなエンジンの性能を更に改良できることが望ましい。
【課題を解決するための手段】
【０００９】
本発明の第一の局面では、自動車燃料組成物を導入すべきか、又は導入を意図した内燃機関、或いはこのような内燃機関を動力とする自動車の加速性能を向上する目的で、自動車燃料組成物に粘度指数向上剤を使用する方法が提供される。この燃料組成物は、好ましくはディーゼル燃料組成物であり、また内燃機関は好ましくはディーゼルエンジン、特にターボ過給式ディーゼルエンジンである。
【発明を実施するための形態】
【００１０】
“ディーゼルエンジン”とは、ディーゼル燃料で運行する（run）ように適応させた圧縮点火内燃機関を意味する。
“ターボ過給式ディーゼルエンジン”とは、通常、電子エンジン管理システムの制御下でターボ過給器を介して動力を供給する（powered）ディーゼルエンジンを意味する。
【００１１】
“加速性能”は、一般にスロットルの増大に対するエンジンの応答性、例えばエンジンがいずれかの所定の速度から加速する割合（rate）を含む。いずれかの所定速度のエンジンにより発生する出力及び／又はトルク及び／又は自動車牽引力（ＶＴＥ）のレベルを含む。こうして、加速性能の向上は、いずれかの所定速度での出力及び／又はトルク及び／又はＶＴＥで表してよい。
【００１２】
本発明は低エンジン速度での加速性能を向上するのに使用できる。“低エンジン速度”は、一般に２２００ｒｐｍ以下、特に２０００ｒｐｍ以下、例えば５００〜２２００ｒｐｍ、或いは１２００又は１４００〜２２００ｒｐｍ、或いは１２００又は１４００〜２０００ｒｐｍの速度を意味する。“低エンジン速度”は、ターボ過給器において、ターボ過給器の操作を制御するエンジン管理システムがターボ過給器によって付与された増幅（boost）を制限し始める、及び／又はエンジンの装入空気圧を調整し始めるレベルより低いエンジン速度であってよい。
【００１３】
エンジン管理システムの制御下でさえ、粘度指数向上剤含有燃料はターボ過給式ディーゼルエンジンに性能上の利得（performance benefit）をもたらし、しかもこれらの利得は、低エンジン速度（例えば前述の範囲で）でも適用できることが意外にも見出された。これはＷＯ−Ａ−２００５／０５４４１１の一般に高速度のデータからは決して予測できるものではない。これらのデータはＶＴＥ数値（figures）の場合、固定速度で得られ、またＷＯＴ加速時間の場合、３５００ｒｐｍ以下又はそれ以上のエンジン速度に亘って平均化されている。本発明で得られる性能上の利点は、ターボ過給器の立ち上げ（ramp−up）、即ち、低速度範囲で加速する際に観察される過渡的な効果に影響を与えることができるのに対し、ＷＯ−Ａ−２００５／０５４４１１に記載された研究は、定常状態のエンジン条件に多く向けたものである。
【００１４】
高粘度燃料は、例えば噴射された燃料の噴霧に対し有害な影響を与え、これにより燃料の蒸発速度が低下し、更には出力低下（loss）が生じ、及び／又は燃料噴射装置においてポンプ損失が増大し、こうして、ディーゼルエンジンの性能が損なわれる可能性があることも予想できた。その代わり、自動車燃料に粘度指数向上剤を含有することの利得は、このような潜在的に有害な影響のいずれも蹂躙できることが見出された。
【００１５】
引続く研究により、高粘度燃料はターボ過給器を一層速い回転速度に上げ、こうして低エンジン速度で過給器の最大速度に達するという推論が得られた。現代のターボ過給式ディーゼルエンジンでは、ターボ過給器の速度は、荷重及びエンジン速度の増大に応じて、所定の最大ターボ過給器速度に達するまで、加速する。低エンジン速度で更に迅速に増大するターボ過給器速度に従って、エンジンに“早めの”増幅を行うと、今度は低エンジン速度での加速性能に識別可能の向上が生じる可能性がある。この向上は、運転者が早い“吊上げ（pick−up）”又は加速応答として経験する。この効果は、本発明で製造される燃料組成物を使用した際、観察される加速性能の向上に部分的に寄与するかも知れない。
【００１６】
エンジン管理システム（ＥＭＳ）は、幾つかの場合、この効果を強化できることが見出された。完全荷重の加速下で高粘度燃料を使用すると、燃料の噴射量が増大し、したがって、ターボ過給器を駆動する排気ガス中に多くのエネルギーが保留される。その結果、次いでエンジンに高圧の空気が入り、したがって、空気吸入装入量が増大する。エンジン管理システムは、多くの燃料を噴射することにより、これに反応し易くなり、こうして、ターボ過給器をなお一層早く駆動する。この積極的なフィードバックループは、ターボ過給器がその最大速度に達すると、停止され、次いでエンジン管理システムは、増幅を制限すると共に、装入空気圧を調整するため、制御を行う。これらの効果は、高粘度の燃料を用いて観察された性能上の利得が低エンジン速度で拡大できる理由を説明するものと考えられる。
【００１７】
高エンジン速度では装入空気圧は、ＥＭＳにより一層綿密に制御され、そうすると、高粘度燃料の性能上の利得は低下するかも知れない、及び／又は該利得の検出容易性は低下するかも知れない。しかし、粘度指数向上剤は高エンジン速度（例えば２０００ｒｐｍ以上、或いは２２００、２５００、更には３０００、３２００、３４００又は３５００以上）でも、また低エンジン速度でも性能向上効果を保持できることが見出された。
【００１８】
こうして、本発明は、単に燃料組成物及びこれに使用される粘度指数向上剤の性能に基づいて予測できた性能よりも低エンジン速度でのターボ過給器の性能を通常、大幅に増幅するのに使用できる。しかし、本発明は、高速度で、理想的には全エンジン速度範囲に亘って、向上した性能を維持するためにも使用できる。
【００１９】
本発明は、加速した際、ターボ過給器がその最大速度に達した時点のエンジン速度を低下させる目的で、ターボ過給器がその速度を上げた（特に低エンジン速度において）時点の速度（rate）を上げる目的で、或いはターボ過給器がその最大速度に達するのにかかる時間を短縮する目的で、粘度指数向上剤を使用する方法を含んでよい。粘度指数向上剤は、所定のエンジン速度、また特に低エンジン速度で装入空気圧（増幅圧）を上げるのに使用できる。
【００２０】
エンジン速度は、制御下の加速試験中、エンジン管理システムの質問により都合良く測定できる。或いは動力計を用いて測定してもよい。加速性能試験は、通常、ワイドオープンスロットルで行われる。
【００２１】
ターボ過給器の速度は、エンジンの空気吸入圧（即ち、ターボ過給器からの増幅圧）に関連し、慣用の圧力センサー（例えば試験下のエンジンを動力とする自動車の、ターボ過給器の直ぐ下流の吸入トラック中に配置される）を用いるか、或いは幾つかの場合は、エンジン管理システムの質問により測定できる。こうして、今度はターボ過給器がその最大速度に達した時点の測定が可能となるか、或いはターボ過給器の速度増大の割合（rate）の測定が可能となる。
【００２２】
エンジントルクは、試験下のエンジンを動力とする自動車の車輪により動力計上に加えた力から誘導できる。好適には専用の器具（例えばＫｉｓｔｌｅｒＴＭＲｏａＤｙｎＴＭ）を用いて、このような自動車の車輪から直接、測定してよい。エンジン出力は、当該技術分野で知られているように、エンジントルク測定値及びエンジン速度測定値から好適に誘導できる。自動車牽引力（ＶＴＥ）は、エンジンで駆動される自動車の車輪により、例えば台車動力計のローラー上にかかる力を測定すれば、測定できる。
【００２３】
本発明は、内燃機関又はこのような内燃機関を動力とする自動車の加速性能を向上するのに使用できる。加速性能はエンジンを加速し、エンジンの速度、出力、トルク及び／又はＶＴＥ、空気装入圧及び／又はターボ過給器速度の経時変化を監視することにより、評価できる。この評価は、好適には或る範囲のエンジン速度で行ってよく、低速度性能の向上を所望する場合、この評価は、例えば１２００〜２０００ｒｐｍ又は１４００〜１９００ｒｐｍの速度範囲に亘って行ってよい。
【００２４】
加速性能は、道路上で試験下のエンジンを動力とする自動車を、例えば０〜１００ｋｍ／時間に加速する、好適には経験のある運転者により評価してもよい。この自動車は、加速性能の変化をエンジン速度と関連可能にするため、エンジン速度計のような適当な器具を備えなければならない。
【００２５】
一般に、加速性能の向上は、加速時間の短縮、及び／又は前述した効果のいずれか１つ以上、例えばターボ過給器速度の上昇の早さ、或いはいずれかの所定速度でのエンジンのトルク、出力又はＶＴＥの増大により明示できる。
【００２６】
本発明に関連して、加速性能の“向上（又は改良）”は、いかなる程度の向上（又は改良）も包含する、同様に、測定したパラメーター（例えばターボ過給器がその最大速度に達するのにかかる時間）の低下（又は減少又は短縮）或いは増大（又は上昇又は向上）は、場合によるが、いかなる程度の低下（又は減少又は短縮）或いは増大（又は上昇又は向上）も包含する。場合によるが、この向上、低下又は増大は、粘度指数向上剤を導入する前の燃料組成物を使用した場合、又は低粘度の他の類似の燃料組成物を用いた場合、の関連するパラメーターと比較してよい。この向上、低下又は増大は、内燃（通常はディーゼル）機関に使用することを意図した（例えば市販する）燃料組成物であって、粘度指数向上剤を添加する前の該燃料組成物で同じエンジンを操作（run）した場合に測定した関連パラメーターと比較してよい。
【００２７】
本発明は例えば、所望の目標を満たすため、粘度指数向上剤により、ディーゼル燃料組成物の特性及び／又は性能及び／又は効果（又は影響）、特にターボ過給式ディーゼルエンジンの低速度加速性能に対する効果（又は影響）を調節する工程を含んでよい。
【００２８】
ＷＯ−Ａ−２００５／０５４４１１（特に第３頁第２２行〜第４頁第１７行参照）に記載されるように、加速性能の向上は、他の原因、特に燃料組成物中に含まれる他の燃料成分又は添加剤による加速性能の低下を少なくとも或る程度まで、緩和することも包含してよい。一例として、燃料組成物は、組成物の燃焼時に発生する放出物のレベルが低下するよう、組成物全体の密度を低下させることを意図した１種以上の成分を含有してよい。密度の低下により、エンジンの出力低下が生じる可能性があるが、この影響は、本発明に従って粘度指数向上剤を使用すれば、克服できるか、或いは少なくとも緩和できる。
【００２９】
低速度加速性能の向上は、酸素化成分含有燃料（例えば、いわゆる“バイオ燃料”）を使用するか、或いはエンジン中（通常は燃料噴射器中）に燃焼関連付着物を堆積する等、他の理由で低下した加速性能を、少なくとも部分的に、回復させることも包含してよい。
【００３０】
通常、加速時間中、所定のエンジン速度でエンジントルクを増大させるために本発明を使用する場合、この増大は、粘度指数向上剤の導入前の燃料組成物でエンジンを操作した場合、及び／又は低粘度の他の類似の（通常、ディーゼル）燃料組成物でエンジンを操作した場合、に得られたトルクに比べて、０．１％以上、好ましくは０．２、０．３、０．４又は０．５％以上、幾つかの場合は０．６又は０．７％以上であってよい。この増大は、粘度指数向上剤を添加する前の、内燃（通常、ディーゼル）機関、特にターボ過給式エンジンに使用することを意図した（例えば市販する）他の類似の燃料組成物で同じエンジンを操作した場合の関連速度で得られたエンジントルクと比較してよい。
【００３１】
通常、加速時間中、所定のエンジン速度でエンジン出力を増大させるために本発明を使用する場合、この増大は、粘度指数向上剤の導入前の燃料組成物でエンジンを操作した場合、及び／又は低粘度の他の類似の（通常、ディーゼル）燃料組成物でエンジンを操作した場合、に得られた出力に比べて、０．１％以上、好ましくは０．２、０．３、０．４又は０．５％以上、幾つかの場合は０．６又は０．７％以上であってよい。この増大は、粘度指数向上剤を添加する前の、内燃（通常、ディーゼル）機関、特にターボ過給式エンジンに使用することを意図した（例えば市販する）他の類似の燃料組成物で同じエンジンを操作した場合の関連速度で得られたエンジン出力と比較してよい。
【００３２】
通常、加速時間中、所定のエンジン速度でエンジンＶＴＥを増大させるために本発明を使用する場合、この増大は、粘度指数向上剤の導入前の燃料組成物でエンジンを操作した場合、及び／又は低粘度の他の類似の（通常、ディーゼル）燃料組成物でエンジンを操作した場合、に得られたＶＴＥに比べて、０．１％以上、好ましくは０．２、０．３、０．４又は０．５％以上、幾つかの場合は０．６又は０．７％以上であってよい。この増大は、粘度指数向上剤を添加する前の、内燃（通常、ディーゼル）機関、特にターボ過給式エンジンに使用することを意図した（例えば市販する）他の類似の燃料組成物で同じエンジンを操作した場合の関連速度で得られたＶＴＥと比較してよい。
【００３３】
通常、加速時間中（即ち、ターボ過給器の立ち上げ中）、所定のエンジン速度でターボ過給器増幅圧を増大させるために本発明を使用する場合、この増大は、粘度指数向上剤の導入前の燃料組成物でエンジンを操作した場合、及び／又は低粘度の他の類似の（通常、ディーゼル）燃料組成物でエンジンを操作した場合、に得られたターボ過給器増幅圧に比べて、０．３％以上、好ましくは０．４又は０．５％以上であってよい。この増大は、粘度指数向上剤を添加する前の、内燃（通常、ディーゼル）機関、特にターボ過給式エンジンに使用することを意図した（例えば市販する）他の類似の燃料組成物で同じエンジンを操作した場合の関連速度で得られたターボ過給器増幅圧と比較してよい。
【００３４】
エンジンが２つの所定エンジン速度間で加速するのにかかる時間を短縮するために本発明を使用する場合、この短縮は、粘度指数向上剤の導入前の燃料組成物でエンジンを操作した場合、及び／又は低粘度の他の類似の（通常、ディーゼル）燃料組成物でエンジンを操作した場合、に得られた加速時間に比べて、０．１％以上、好ましくは０．２、０．３、０．４又は０．５％以上、幾つかの場合は０．６、０．７、０．８又は０．９％以上であってよい。この短縮は、粘度指数向上剤を添加する前の、内燃（通常、ディーゼル）機関に使用することを意図した（例えば市販する）他の類似の燃料組成物で同じエンジンを操作した場合の関連速度で得られた加速時間と比較してよい。このような加速時間は、例えば３００ｒｐｍ以上、或いは４００、５００、６００、７００、８００、９００又は１０００ｒｐｍ以上、例えば１３００〜１６００ｒｐｍ、１６００〜２２００ｒｐｍ、２２００〜３０００ｒｐｍ又は３０００〜４０００ｒｐｍのエンジン速度増大で測定してよい。
【００３５】
粘度指数向上剤は、好ましくは４０℃の中庸温度で使用される。更に粘度指数向上剤は、好ましくは２５０バールの最小圧力で使用される。
【００３６】
本発明に従って粘度指数向上剤を使用する自動車燃料組成物は、特にディーゼルエンジンに使用するのに好適なディーゼル燃料組成物であってよい。この燃料組成物は、例えば後述するような、いかなる種類の圧縮点火エンジンにも使用してよい、及び／又は該エンジンの使用に好適であってよい、及び／又は適応してよい、及び／又は意図してよい。特にターボ過給器を備えたディーゼルエンジンに好適かも知れない。
【００３７】
粘度指数向上剤を潤滑組成物に使用することは既に周知で、この場合、粘度指数向上剤は、高温で粘度を増大させることにより、所望温度範囲で組成物の粘度をできるだけ一定に維持するのに使用される。粘度指数向上剤は、団塊（conglomerate）及び／又はミセルを形成できる、通常、比較的高分子量の長鎖重合体分子をベースとしている。これらの分子系は高温で膨張し、こうして更に、互いに動きを制約し、今度は系の粘度を増大させる。
【００３８】
粘度指数向上剤としては、ポリメチルメタクリレート（ＰＭＡ）、ポリイソブチレン（ＰＩＢ）、スチレン−ブタジエン／エチレンブロック共重合体、及び特定の他の共重合体、例えばポリスチレン−ポリイソプレン星形（stellate）（“星”）共重合体が含まれる。これらは通常、潤滑油配合物に１〜２０重量％の濃度で含まれる。
【００３９】
ＷＯ−Ａ−０１／４８１２０には高温でのエンジンの始動能力を向上する目的で、燃料組成物、特にディーゼル燃料組成物にこれら種類の特定の添加剤を使用することが提案されている。しかし、我々の認識ではエンジンの加速性能の向上に使用するのに提案されたものではない。
【００４０】
粘度指数向上剤は、比較的低濃度で使用しても自動車、特にディーゼル、燃料組成物の粘度を著しく増大でき、こうして、燃料組成物を導入すべきエンジンの性能を向上できることが見出された。このような性能向上は、以下、詳細に説明するように、低エンジン速度で特に目立つ可能性がある。この性能向上はターボ過給式エンジンに利用できる。
【００４１】
したがって、本発明は、内燃機関に導入した燃料によって内燃機間の性能を効果的に向上する方法を提供できる。しかし、本発明は、ＷＯ−Ａ−２００５／０５４４１１に開示されたディーゼル燃料組成物とは逆に、追加成分を比較的低濃度で使用する燃料の最適化が可能である（即ち、ＷＯ−Ａ−２００５／０５４４１１において粘度増大に使用するような燃料成分よりも、むしろ燃料添加剤に使用する程度の濃度）。こうして、燃料製造方法のコスト及び複雑性を低減できる。例えば引続きエンジン性能を向上するため、ベース燃料の含有量をその製造場所（point）で変更するよりもむしろ製油所の下流に添加剤を導入することにより、燃料組成物を変更することができる。ベース燃料成分のブレンドは、あらゆる場所で可能かも知れないが、比較的低濃度での燃料添加剤の導入は、燃料貯蔵所、又は他の充填場所、例えば道路タンカー、はしけ又は列車充填場所、ディスペンサー、顧客のタンク及び車両で、更に容易に達成できる。その上、比較的低濃度で使用すべき添加剤は、数十重量％のオーダーの濃度で使用する必要がある燃料成分に比べて、コスト効果的に燃料組成物中に普段どおりに（naturally）輸送、貯蔵、導入できる。
【００４２】
粘度指数向上剤を比較的低濃度で使用すると、いかなる望ましくない副作用、例えば燃料組成物の導入により生じる蒸留特性又は常温流れ特性に対する影響も低減する助けにもなり得る。
【００４３】
粘度指数向上剤は合成的に製造し易く、したがって、通常は、十分に規定された構成及び品質で入手できる。これに対し、例えば鉱物誘導増粘性燃料成分（製油所流）は、バッチ毎に構成が変化し得る。粘度指数向上剤も潤滑剤用に広範に入手でき、本発明の提案による新規使用法の魅力的な成分となり得る。このような粘度指数向上剤は、特に必要とする低濃度の観点から、鉱物ベース油のような他の増粘性成分よりも安価であることが多い。
【００４４】
本発明の別の利点は、粘度指数向上剤が特に高温で粘度を増大するように設計されていることである。高粘度燃料の使用によるエンジン出力の増大は、一般に高温で操作する燃料噴射システムの条件に連結しているので、粘度指数向上剤は他の多くの慣用の贈粘性成分よりも大きな性能上の利益を得ることができると考えられる。
【００４５】
本発明に従って燃料組成物に使用される粘度指数向上剤は、本来、重合体であってよい。例えば、下記群から選択できる。
ａ）スチレン系共重合体、特にブロック共重合体、例えばＫｒａｔｏｎＴＭＤ又はＫｒａｔｏｎＴＭＧ添加剤（Ｋｒａｔｏｎから）として、又はＳＶＴＭ添加剤（Ｉｎｆｉｎｅｕｍ、Ｍｕｌｔｉｓｏｌ、その他から）として入手できる。特定の例としては、スチレン（styrenic）とエチレン／ブチレンモノマーとの共重合体、例えばポリスチレン−ポリイソプレン共重合体及びポリスチレン−ポリブタジエン共重合体が含まれる。このような共重合体は、例えばＳＶＴＭ１５０（ポリスチレン−ポリイソプレンジブロック共重合体）又はＫｒａｔｏｎＴＭ添加剤（スチレン−ブタジエン−スチレントリブロック共重合体又はスチレン−エチレン−ブチレンブロック共重合体）のようなブロック共重合体であってよい。これらはテーパー（tapered）共重合体、例えばスチレン−ブタジエン共重合体であってよい。これらは星形共重合体、例えばＳＶＴＭ２６０（スチレン−ポリイソプレン星共重合体）であってよい；
ｂ）エチレン、ブチレン、ブタジエン、イソプレン又は他のオレフィンモノマー系の他のブロック共重合体、例えばエチレン−プロピレン共重合体；
ｃ）ポリイソブチレン（ＰＩＢ）；
ｄ）ポリメタクリレート（ＰＭＡ）；
ｅ）ポリα−オレフィン（ＰＡＯ）；及び
ｆ）それらの混合物。
【００４６】
粘度指数向上剤は１種以上の無機起源の化合物、例えばゼオライトを含有してよい。
好適な粘度指数向上剤の他の例は、日本特許第９５４０７７号、同第１０３１５０７号、同第１４６８７５２号、同第１７６４４９４号及び同第１７５１０８２号に開示されている。更に他の例としては、窒素及び酸素原子を含有する共重合化極性モノマーを含む分散性型粘度指数向上剤；アルキル芳香族型粘度指数向上剤；及び粘度指数向上剤としての用途が知られている或る種の流動点降下剤が含まれる。
【００４７】
以上のうち、（ａ）型及び（ｂ）型の添加剤、又はそれらの混合物、特に（ａ）型の添加剤が好ましいかも知れない。ブロック共重合体を含むか、理想的にはこれを必須成分とする粘度指数向上剤は、一般に付着物及び／又は泡形成の増大のような副作用を少なくできるので、このような粘度指数向上剤が好ましいかも知れない。
【００４８】
粘度指数向上剤は、例えば通常、エチレン、プロピレン、ブチレン、ブタジエン、イソプレン及びスチレンモノマーから選ばれた１種以上のモノマーブロックを有するブロック共重合体を含有してよい。
【００４９】
粘度指数向上剤の４０℃での動粘度（ＶＫ  ４０、ＡＳＴＭ  Ｄ−４４５又はＥＮ  ＩＳＯ  ３１０４で測定）は、好適には４０ｍｍ２／ｓ以上、好ましくは１００ｍｍ２／ｓ以上、更に好ましくは１０００ｍｍ２／ｓ以上である。１５℃での密度（ＡＳＴＭ  Ｄ−４０５２又はＥＮ  ＩＳＯ  ３６７５で測定）は、好適には６００ｋｇ／ｍ３以上、好ましくは８００ｋｇ／ｍ３以上である。硫黄含有量（ＡＳＴＭ  Ｄ−２６２２又はＥＮ  ＩＳＯ  ２０８４６で測定）は、好適には１０００ｍｇ／ｋｇ以下、好ましくは３５０ｍｇ／ｋｇ以下、更に好ましくは１０ｍｇ／ｋｇ以下である。
【００５０】
粘度指数向上（添加）剤は好適な溶剤、例えば鉱油又はフィッシャー・トロプシュ誘導炭化水素混合物のような油；該添加剤を使用すべき燃料組成物と相溶し得る燃料成分（鉱物系でもフィッシャー・トロプシュ誘導系でもよい）、（例えばディーゼル燃料組成物への使用を意図した際のガス油又はケロシンのような中間蒸留物燃料成分）；ポリα−オレフィン；脂肪酸アルキルエステル（ＦＡＡＥ）、フィッシャー・トロプシュ誘導バイオマス−ツウ−液体（バイオマスから液体への）合成生成物、水素化植物油、廃油又は藻類油、或いはエタノールのようなアルコールのような、いわゆるバイオ燃料；芳香族溶剤；他の炭化水素又は有機溶剤；又はそれらの混合物；に予め溶解してよい。これに関連して使用される好ましい溶剤は、鉱油系ディーゼル燃料成分及び溶剤、並びに後述する“ＸＴＬ”成分のようなフィッシャー・トロプシュ誘導成分である。
【００５１】
燃料組成物中の粘度指数向上剤の濃度は１重量％（％ｗ／ｗ）以下、好適には０．５重量％以下、場合によっては０．４、０．３又は０．２５重量％以下であってよい。この濃度は、０．００１重量％以上、好ましくは０．０１重量％以上、好適には０．０２、０．０３、０．０４又は０．０５重量％以上、場合によっては０．１又は０．２重量％以上である。好適な濃度は、例えば０．００１〜１重量％、０．００１〜０．５重量％、０．０５〜０．５重量％又は０．０５〜０．２５重量％、例えば０．０５〜０．２５重量％又は０．１〜０．２重量％の範囲である。粘度指数向上剤の濃度が高い（例えば０．５重量％を超える）と、必ずしもエンジン性能の向上をもたらさず、また場合により、いかなる所定の添加剤についての最適濃度、例えば０．０５〜０．５重量％、０．０５〜０．２５重量％又は０．１〜０．２重量％の範囲であってよいことが意外にも見出された。
【００５２】
組成物の残部は、通常、任意に１種以上の燃料添加剤と組合わせた、例えば以下に詳細に説明するような１種以上の自動車ベース燃料で構成される。
【００５３】
以上の濃度は粘度指数向上剤自体についてのもので、その有効成分を予め希釈した溶剤については考慮していない。前記濃度は燃料組成物全体の質量を基準とする。燃料組成物に２種以上の粘度指数向上剤を使用した場合、予備溶剤が存在すれば、これを引いた組成物全体に同じ濃度範囲を適用してよい。
【００５４】
粘度指数向上剤の濃度は、該添加剤を導入する前の燃料組成物全体の所望粘度、該添加剤自体の粘度及び該添加剤に使用される溶剤の粘度に依存する。本発明で製造した自動車燃料組成物中の粘度指数向上剤、燃料成分、及びその他の成分又は添加剤の相対割合も他の所望特性、例えば密度、放出性能及びオクタン価、特に密度に依存する。
【００５５】
粘度指数向上剤は、少なくとも本発明で使用するために提案した比較的低い濃度で燃料組成物、特にディーゼル燃料組成物の粘度を、個々の成分の粘度に基づいて理論的に予測した量よりも大きい量、増大できることが意外にも見出された。
【００５６】
このような理論によれば、異なる粘度を有する２種以上の液体のブレンドの粘度は、３段階法を用いて計算できる（Ｈｉｒｓｈｆｅｌｄｅｒ等，“Ｍｏｌｅｃｕｌａｒ  Ｔｈｅｏｒｙ  ｏｆ  Ｇａｓｅｓ  ａｎｄ  Ｌｉｑｕｉｄｓ”，第１版，Ｗｉｌｅｙ（ＩＳＢＮ  ０−４７１−４００６５−３）及びＭａｐｌｅｓ（２０００），“Ｐｅｔｒｏｌｅｕｍ  Ｒｅｆｉｎｅｒｙ  Ｐｒｏｃｅｓｓ  Ｅｃｏｎｏｍｉｃｓ”，第２版，Ｐｅｎｎｗｅｌｌ  Ｂｏｏｋｓ（ＩＳＢＮ  ０−８７８１４−７７９−９参照）。第一段階は、以下の式（Ｒｅｆｕｔａｓ式として知られている）：
ＶＢＩ＝１４．５３４×ｌｎ[ｌｎ（ｖ＋０．８）]＋１０．９７５    （１）、
（但し、ｖは関連成分の粘度ｃＳｔ（ｍｍ２／ｓ）で、各成分について同じ温度で測定される）
を用いて、ブレンドの各成分について粘度ブレンド指数（ＶＢＩ）の計算を必要とする。
【００５７】
次の段階は、以下の式：
ＶＢＩブレンド＝[ＷＡ×ＶＢＩA]＋[ＷＢ×ＶＢＩＢ]＋ .. ＋[ＷＸ×ＶＢＩＸ] （２）
（但し、ブレンドは成分Ａ、Ｂ...Ｘを含み、各Ｗはブレンド中の関連成分の重量分率（即ち、％ｗ／ｗ÷１００）である）
を用いて、ブレンド全体についてＶＢＩを計算することである。
【００５８】
式（２）を用いてブレンドの粘度ブレンド指数を計算した後、最終段階は式（１）の逆：
Ｖ＝eΛｅΛ
（（ＶＢＩブレンド−１０．９７５）÷１４．５３４）−０．８ （３）
を用いてブレンドの粘度を求めることである。
【００５９】
しかし、ＶＫ  ４０が２．７５ｍｍ２／ｓの、硫黄を含まないディーゼル燃料９９重量％と、粘度指数向上剤ＳＶＴＭ２６１（ＶＫ４０は１６３００ｍｍ２／ｓ）１重量％とのブレンドの全体で測定したＶＫ  ４０は、３．１９ｍｍ２／ｓである。換言すれば、粘度指数向上剤の導入により、ディーゼル燃料のＶＫ  ４０は０．４４ｍｍ２／ｓ増大する。しかし、このようなブレンドの理論ＶＫを上記式を用いて計算すると、２．８４ｍｍ２／ｓとなる。即ち、ディーゼル燃料単独のＶＫ  ４０よりも、０．０９ｍｍ２／ｓしか増大しない。したがって、完全に理論を根拠にすれば、添加剤レベルの濃度で燃料組成物の粘度を顕著に増大させることは予測されない。
（ＳＶＴＭ２６１は、ブロック共重合体（例えばＳＶＴＭ２６０、これもＩｎｆｉｎｅｕｍから）１５重量％と鉱油８５重量％との混合物である）
【００６０】
粘度指数向上剤を含有することにより、本発明で製造される燃料組成物（特にディーゼル燃料組成物）のＶＫ  ４０は、好適には２．７〜２．８ｍｍ２／ｓ以上、好ましくは２．９、３．０、３．１、３．２、３．３又は３．４ｍｍ２／ｓ以上、場合によっては３．５、３．６、３．７、３．８、３．９又は更には４ｍｍ２／ｓ以上である。このＶＫ  ４０は、４．５、４．４又は４．３ｍｍ２／ｓ以下であってよい。特定の場合、例えば北極圏のディーゼル燃料では、本組成物のＶＫ  ４０は好ましくは１．７又は２．０ｍｍ２／ｓ以上であるが、１．５ｍｍ２／ｓのように低くてもよい。本明細書において、粘度とは、特に断らない限り、動粘度の意味であることを意図する。
【００６１】
本組成物は、比較的高い密度を有することが好ましく、例えばディーゼル燃料組成物では１５℃で８３０ｋｇ／ｍ３以上（ＡＳＴＭ  Ｄ−４０５２又はＥＮ  ＩＳＯ  ３６７５）、好ましくは８３２ｋｇ／ｍ３以上、例えば８３２〜８６０ｋｇ／ｍ３である。好適には密度は１５℃で８４５ｋｇ／ｍ３以下で、この値は現在のＥＮ  ５９０ディーゼル燃料規格の上限である。
本発明で製造される燃料組成物は、例えば自動車ガソリン又はディーゼル燃料組成物、特に後者であってよい。
【００６２】
本発明で製造されるガソリン燃料組成物は、一般にスパーク点火（ガソリン）エンジンに使用するのに好適ないかなる種類のガソリン燃料組成物であってもよい。この組成物は、粘度指数向上剤の他、その他、標準のガソリン燃料成分を含有してよい。他の成分としては、例えば通常、沸点範囲（ＡＳＴＭ  Ｄ−８６又はＥＮ  ＩＳＯ  ３４０５）が２０〜２１０℃のガソリンベース燃料を主要割合で含有する。これに関連して“主要割合”とは燃料組成物全体に対し通常、８５重量％以上、更に好適には９０又は９５重量％以上、最も好ましくは９８、９９又は９９．５重量％以上を意味する。
【００６３】
本発明で製造されるディーゼル燃料組成物は、一般に圧縮点火（ディーゼル）エンジンに使用するのに好適ないかなる種類のディーゼル燃料組成物であってもよい。このディーゼル燃料組成物は、粘度指数向上剤の他に、他の標準的なディーゼル燃料成分を含有してよい。例えば後述する種類のゼルベース燃料を主要割合含有してよい。再び、“主要割合”とは燃料組成物全体に対し通常、８５重量％以上、更に好適には９０又は９５重量％以上、最も好ましくは９８、９９又は９９．５重量％以上を意味する。
【００６４】
したがって、本発明で製造されるディーゼル燃料組成物は、粘度指数向上剤の他に、従来型のディーゼル燃料成分を１種以上含有してよい。このような成分は、通常、液体炭化水素中間蒸留物燃料油、例えば石油誘導ガス油を含有する。一般にこのような燃料成分は、有機的に又は合成的に誘導されてよく、好適には原油から所望範囲のフラクションを蒸留して得られる。これらのフラクションは、一般に１５０〜４１０℃又は１７０〜３７０℃の通常のディーゼル範囲内の沸点を有する。通常、燃料組成物は重質炭化水素を分割して得られる１種以上の分解生成物を含有する。
【００６５】
石油誘導ガス油は、例えば原油源を精製し、任意に（水素化）処理して得られる。このガス油は、このような製油所プロセスで得られる単独ガス油流であってもよいし、製油所プロセスで異なる処理過程を経て得られる数種のガス油フラクションのブレンドであってもよい。このようなガス油フラクションの例は、直留ガス油、減圧ガス油、熱分解法で得られるようなガス油、流動接触分解ユニットで得られるような軽質及び重質循環油、及び水素化分解ユニットから得られるようなガス油である。任意に石油誘導ガス油は若干の石油誘導ケロシンフラクションを含有してよい。
【００６６】
このようなガス油は、硫黄含有量をディーゼル燃料組成物中に含有するのに好適なレベルまで低下させるように、水素化脱硫（ＨＤＳ）ユニット中で処理してよい。
【００６７】
ディーゼルベース燃料はフィッシャー・トロプシュ誘導燃料成分、通常、フィッシャー・トロプシュ誘導ガス油であっても、或いは含有してもよい。本発明に関連して、用語“フィッシャー・トロプシュ誘導”とは、材料がフィッシャー・トロプシュ縮合法の合成生成物又はその誘導体であることを意味する。用語“非フィッシャー・トロプシュ誘導”は、これに従って解釈してよい。したがって、フィッシャー・トロプシュ誘導燃料又は燃料成分は、添加した水素を除く実質部分がフィッシャー・トロプシュ縮合法から直接又は間接的に誘導された炭化水素流である。
【００６８】
フィッシャー・トロプシュ反応は、一酸化炭素及び水素を適当な触媒の存在下、通常、高温（例えば１２５〜３００℃、好ましくは１７５〜２５０℃）及び／又は高圧（例えば０．５〜１０ＭＰａ、好ましくは１．２〜５ＭＰａ）で長鎖の、通常、パラフィン系の、炭化水素：
ｎ（ＣＯ＋２Ｈ２）＝（−ＣＨ２−）ｎ＋ｎＨ２Ｏ＋熱
に転化させる。所望ならば、２：１以外の水素：一酸化炭素比を採用してよい。
【００６９】
一酸化炭素及び水素自体は、有機又は無機、天然又は合成の供給源、通常、天然ガス又は有機的に誘導したメタンのいずれからも誘導できる。
【００７０】
本発明で使用されるフィッシャー・トロプシュ誘導ディーゼル燃料成分は、精製又はフィッシャー・トロプシュ反応から直接得てもよいし、或いは例えば精製又は合成生成物を精留又は水素化処理して精留生成物又は水素化処理生成物を生成することにより、精製又はフィッシャー・トロプシュ反応から間接的に得てもよい。水素化処理は、沸点範囲を調節するため、水素化分解工程（例えばＧＢ−Ｂ−２０７７２８９、ＥＰ−Ａ−０１４７８７３参照）及び／又は分岐パラフィンの割合増大により常温流れ特性の向上が可能な水素化異性化工程を含むことができる。ＥＰ−Ａ−０５８３８３６には２段階水素化処理法が記載されている。この方法は、まずフィッシャー・トロプシュ合成生成物に対し、実質的に異性化又は水素化分解（オレフィン性成分及び酸素含有成分を水素化する）を受けないような条件下で水素化転化を行ない、次いで得られた生成物の少なくとも一部を、水素化分解又は水素化異性化が起こって実質的にパラフィン系の炭化水素燃料が生成するような条件下で水素化転化するというものである。次に、所望のフラクション、通常、ガス油フラクションは、例えば蒸留により単離できる。
【００７１】
フィッシャー・トロプシュ縮合生成物の特性を改質するため、例えばＵＳ−Ａ−４１２５５６６やＵＳ−Ａ−４４７８９５５に記載されるように、重合、アルキル化、蒸留、分解−脱カルボキシル化、異性化、水素化改質等、その他の後合成処理も採用できる。
【００７２】
パラフィン性炭化水素のフィッシャー・トロプシュ合成用の一般的な触媒は、触媒活性成分として周期表第ＶＩＩＩ族金属、特にルテニウム、鉄、コバルト又はニッケルを含有する。好適なこの種の触媒は、例えばＥＰ−Ａ−０５８３８３６に記載されている。
【００７３】
フィッシャー・トロプシュの基本法の一例は、ＳｈｅｌｌＴＭ“Ｇａｓ−ｔｏ−Ｌｉｑｕｉｄ（ガス・ツウ・リキッド）”又は“ＧｔＬ”技術（以前はＳＭＤＳ（Ｓｈｅｌｌ  Ｍｉｄｄｌｅ  Ｄｉｓｔｉｌｌａｔｅ  Ｓｙｎｔｈｅｓｉｓ（シェル中間蒸留物合成）として知られ、第５回Ｓｙｎｆｕｅｌｓ  Ｗｏｒｌｄｗｉｄｅ  Ｓｙｍｐｏｓｉｕｍ，Ｗａｓｈｉｎｇｔｏｎ  ＤＣ、１９８５年１１月での論文：ｖａｎ  ｄｅｒ  Ｂｕｒｇｔ等，“Ｔｈｅ  Ｓｈｅｌｌ  Ｍｉｄｄｌｅ  Ｄｉｓｔｉｌｌａｔｅ  Ｓｙｎｔｈｅｓｉｓ  Ｐｒｏｃｅｓｓ（シェル中間蒸留物合成法）”（Ｓｈｅｌｌ  Ｉｎｔｅｒｎａｔｉｏｎａｌ  Ｐｅｔｒｏｌｅｕｍ  Ｃｏｍｐａｎｙ  Ｌｔｄ．，Ｌｏｎｄｏｎ，ＵＫの同表題の１９８９年１１月刊行物も参照）に記載されている。後者の場合、水素化転化法の好ましい特徴は、前記文献に開示されたとおりであってよい。この方法は、天然ガスを重質長鎖炭化水素（パラフィン）蝋に転化することにより、中間蒸留物範囲の生成物を生成する。転化後、炭化水素蝋は、引き続き水素化転化し、精留できる。
【００７４】
本発明で使用されるフィッシャー・トロプシュ誘導燃料成分（以下、ＧｔＬ成分）は、ガス・ツウ・リキッド合成から誘導されたいかなる好適な成分も、或いは例えばガス、バイオマス又は石炭を液体に転化する類似のフィッシャー・トロプシュ合成から誘導した成分（以下、ＸｔＬ成分）も好ましい。フィッシャー・トロプシュ誘導成分はＸｔＬ成分が好ましい。ＸｔＬ成分は、ＢｔＬ（バイオマスから液体に）成分であってよい。一般に好適なＸｔＬ成分は、当該技術分野で知られているように、例えばケロシン、ディーゼル及びガス油フラクションから選ばれた中間蒸留物燃料成分であってよい。このような成分は、包括的に合成法燃料又は合成法油として分類してよい。好ましくは、ディーゼル燃料成分として使用されるＸｔＬ成分はガス油である。
【００７５】
本発明で製造される組成物に含まれるディーゼル燃料成分、１５℃での密度（ＡＳＴＭ  Ｄ−４０５２又はＥＮ  ＩＳＯ  ３６７５で測定）が、通常、７５０〜９００ｋｇ／ｍ３、好ましくは８００〜８６０ｋｇ／ｍ３であり、及び／又はＶＫ  ４０（ＡＳＴＭ  Ｄ−４４５又はＥＮ  ＩＳＯ  ３１０４）が、１．５〜６．０ｍｍ２／ｓである。
【００７６】
本発明で製造されるディーゼル燃料組成物において、ベース燃料自体が前述のような種類のディーゼル燃料成分を２種以上、含有してよい。ベース燃料は、植物油、水素化植物油又は植物油誘導体（例えば脂肪酸エステル、特に脂肪酸メチルエステル）、或いは酸、ケトン又はエステルのような他の酸素化物のようないわゆる“バイオディーゼル”燃料成分であっても或いは含有してもよい。このような成分は必ずしもバイオ誘導されている必要はない。
【００７７】
本発明では粘度指数向上剤は、燃料組成物の粘度を増大するのに使用してよい。こうして、本発明の第一局面で製造した組成物においては、ベース燃料は比較的低粘度であってよく、次いで粘度指数向上剤の導入により、“品質向上”してよい。これにより、エンジンの性能にとって本来、恐らく有利ではないベース燃料成分は、性能を増幅することができる。その代わり、又は更に、ベース燃料成分に対し予測された、エンジン性能に与えるいかなる有害な影響も粘度指数向上剤により少なくとも部分的に減殺される可能性がある。
【００７８】
ディーゼル燃料組成物の場合、例えばベース燃料は、フィッシャー・トロプシュ又は鉱物誘導ナフサ成分、いわゆる“ウインターＧｔＬ”フィッシャー・トロプシュ誘導ガス油、低粘度鉱油ディーゼル成分又はバイオディーゼル成分のような比較的低粘度の成分であってよいか、或いは含有してよい。このようなベース燃料のＶＫ  ４０（ＡＳＴＭ  Ｄ−４４５又はＥＮ  ＩＳＯ  ３１０４）は、例えばヨーロッパディーゼル燃料規格ＥＮ  ５９０で許容される最大値未満、例えば４．５ｍｍ２／ｓ未満、或いは３．５、３．２又は３ｍｍ２／ｓ未満であってよい。場合によっては、このＶＫ  ４０は、ＥＮ  ５９０で許容される最小値未満、例えば２ｍｍ２／ｓ未満又は更には１．５ｍｍ２／ｓ未満であってよい。粘度指数向上剤は、最終の自動車燃料組成物に導入する前に、１種以上のこのような燃料成分に予備希釈してよい。
【００７９】
こうして、本発明の第一局面は、ベース燃料のような燃料成分又は該燃料成分を含有する自動車燃料組成物を導入すべきか、又は導入を意図した内燃機関、或いはこのような内燃機関を動力とする自動車の加速性能を向上する目的で、燃料成分に粘度指数向上剤を使用する方法を包含してよい。この第一局面は、燃料成分又は該燃料成分を含有する自動車燃料組成物を導入すべきか、又は導入を意図した内燃機関、或いはこのような内燃機関を動力とする自動車の加速性能に対し、該燃料成分による有害な影響を低減する目的で、燃料成分に粘度指数向上剤を使用する方法を包含してよい。
【００８０】
加速性能に対する“有害な影響”とは、通常、加速の低下を意味する。
【００８１】
本発明で製造される自動車ディーゼル燃料組成物は、好適には現在適用できる標準規格、例えばＥＮ  ５９０（ヨーロッパ向け）又はＡＳＴＭ  Ｄ−９７５（米国向け）を満たす。例えば燃料組成物全体の１５℃での密度（ＡＳＴＭ  Ｄ−４０５２又はＥＮ  ＩＳＯ  ３６７５）は８２０〜８４５ｋｇ／ｍ３、Ｔ９５沸点（ＡＳＴＭ  Ｄ−８６又はＥＮ  ＩＳＯ  ３４０５）は３６０℃以下、測定セタン価（ＡＳＴＭ  Ｄ−６１３）は５１以上、ＶＫ  ４０（ＡＳＴＭ  Ｄ−４４５又はＥＮ  ＩＳＯ  ３１０４）は２〜４．５ｍｍ２／ｓ、硫黄含有量（ＡＳＴＭ  Ｄ−２６２２又はＥＮ  ＩＳＯ  ２０８４６）は５０ｍｇ／ｋｇ以下、及び／又は多環式芳香族炭化水素（ＰＡＨ）含有量（ＩＰ  ３９１（ｍｏｄ））は１１重量％（％ｗ／ｗ）未満であってよい。しかし、関連規格は国毎に、また年度毎に異なるかも知れないし、また燃料組成物の意図する用途に依存するかも知れない。
【００８２】
本発明で製造されるディーゼル燃料組成物は、これら範囲外の特性を有する燃料成分を含有してよい。これは、ブレンド全体の特性が個々の構成成分の特性とは、多くの場合、著しく異なっていてもよいからである。
【００８３】
本発明で製造されるディーゼル燃料組成物は、硫黄を好適には５０００ｐｐｍｗ（１００万重量部当たり重量部）以下、通常は２０００〜５０００ｐｐｍｗ、又は１０００〜２０００ｐｐｍｗ、或いは１０００ｐｐｍｗ以下含有する。この組成物は、例えば低又は超低硫黄燃料、又は硫黄を含まない燃料、例えば硫黄含有量が５００ｐｐｍｗ以下、好ましくは３５０ｐｐｍｗ以下、最も好ましくは１００、５０又は更には１０ｐｐｍｗ以下であってよい。
【００８４】
本発明で製造される自動車燃料組成物、又はこのような組成物に使用されるベース燃料は添加剤を含有してもよいし、或いは含有しなくてもよい。例えば製油所で添加剤を含有した場合、燃料組成物又はベース燃料は、帯電防止剤、パイプラインドラッグレデューサー（drag reducer）、流れ改良剤（例えばエチレン／酢酸ビニル共重合体又はアクリレート／無水マレイン酸共重合体）、潤滑剤、酸化防止剤及び蝋沈降防止剤から選択された１種以上の添加剤を少量含有する。したがって、この組成物は、粘度指数向上剤の他に、１種以上の燃料添加剤を小割合（好ましくは１重量％以下、更に好ましくは０．５重量％（５０００ｐｐｍｗ）以下、最も好ましくは０．２重量％（２０００ｐｐｍｗ）以下含有してよい。
【００８５】
本組成物は、例えば洗浄剤を含有してよい。洗浄剤含有ディーゼル燃料添加剤は公知で、市販されている。このような添加剤は、エンジンの付着物の堆積を低減する、除去する、又は遅らせることを意図したレベルでディーゼル燃料に添加できる。
【００８６】
この目的で燃料添加剤に使用するのに好適な洗浄剤の例としては、ポリオレフィン置換スクシンイミド又はポリアミンのスクシンアミド、例えばポリイソブチレンスクシンイミド又はポリイソブチレンアミンスクシンアミド；脂肪族アミン；マンニッヒ塩基又はアミン及びポリオレフィン（例えばポリイソブチレン）無水マレイン酸が含まれる。スクシンイミド分散剤は、例えばＧＢ−Ａ−９６０４９３、ＥＰ−Ａ−０１４７２４０、ＥＰ−Ａ−０４８２２５３、ＥＰ−Ａ−０６１３９３８、ＥＰ−Ａ−０５５７５１６及びＷＯ−Ａ−９８／４２８０８に記載されている。ポリイソプチレンスクシンイミドのようなポリオレフィン置換スクシンイミドが特に好ましい。
【００８７】
本発明で製造される燃料組成物に使用できる燃料添加剤混合物は、洗浄剤の他に、他の成分を含有してよい。例えば滑性強化剤；霞み（曇り）防止剤、例えばアルコキシル化フェノールホルムアルデヒド重合体；消泡剤（例えばポリエーテル変性ポリシロキサン）；点火向上剤（セタン向上剤）（例えば２−エチルヘキシルナイトレート（ＥＨＮ）、シクロヘキシルナイトレート、ジ−ｔｅｒｔ−ブチルパーオキシド、及びＵＳ−Ａ−４２０８１９０第２欄２７行〜第３欄２１行に開示されるもの）；防錆剤（例えばテトラプロペニル琥珀酸のプロパン−１，２−ジオール半エステル、琥珀酸誘導体の多価アルコールエステル（該琥珀酸誘導体は、α−炭素原子の少なくとも１つに炭素原子数２０〜５００の置換又は非置換の脂肪族炭化水素基を有する。例えばポリイソブチレン置換琥珀酸のペンタエリスリトールジエステル）；腐食防止剤、付香剤、摩耗防止剤、酸化防止剤（例えば２，６−ジ−ｔｅｒｔ−ブチルフェノールのようなフェノール、又はＮ，Ｎ’−ジ−ｓｅｃ−ブチル−ｐ−フェニレンジアミンのようなフェニレンジアミン）；金属奪活剤；助燃剤；静電散逸剤（static dissipator additive）；常温流れ改良剤；及び蝋沈降防止剤が含まれる。
【００８８】
このような燃料添加剤混合物は、特に低硫黄含有量（例えば５００ｐｐｍｗ以下）の燃料組成物の場合、潤滑性強化剤を含有できる。潤滑性強化剤は、添加剤含有燃料組成物中に、都合良くは１０００ｐｐｍｗ未満、好ましくは５０〜１０００ｐｐｍｗ、更に好ましくは７０〜１０００ｐｐｍｗの濃度で存在する。好適な市販の潤滑性強化剤は、エステル系及び酸系添加剤を含有する。他の潤滑性強化剤は、特に低硫黄含有量ディーゼル燃料への使用に関連して、下記文献に記載されている。
【００８９】
・Ｄａｎｐｉｎｇ  Ｗｅｉ及びＨ．Ａ．Ｓｐｉｋｅｓによる論文、“Ｔｈｅ  Ｌｕｂｒｉｃｉｔｙ  ｏｆ  Ｄｉｅｓｅｌ  Ｆｕｅｌｓ”Ｗｅａｒ，ＩＩＩ（１９８６）２１７−２３５
・ＷＯ−Ａ−９５／３３８０５：低硫黄燃料の潤滑性を強化するための常温流れ改良剤
・ＷＯ−Ａ−９４／１７１６０：ディーゼルエンジン噴射システムの摩耗低下用燃料添加剤として、炭素原子数２〜５０のカルボン酸と炭素原子数１以上のアルコールとの特定のエステル、特にグリセロールモノオレエート及びジイソデシルアジペート
・ＵＳ−Ａ−５４９０８６４：低硫黄ディーゼル燃料用耐摩耗潤滑性添加物として特定のジチオ燐酸ジエステル−ジアルコール
・ＷＯ−Ａ−９８／０１５１６：特に低硫黄ディーゼル燃料に耐摩耗潤滑性効果を与えるための、芳香族核に結合した少なくとも１つのカルボキシル基を有する特定のアルキル芳香族化合物
【００９０】
燃料組成物は消泡剤を含有することも好ましいかも知れないし、防錆剤及び／又は腐食防止剤及び／又は潤滑性強化剤と一緒に含有することが更に好ましいかも知れない。
【００９１】
特に断らない限り、添加剤含有燃料組成物中の各添加剤の（活性分）濃度は、好ましくは１００００ｐｐｍｗ以下、更に好ましくは０．１〜１０００ｐｐｍｗ、有利には０．１〜３００ｐｐｍｗ、例えば０．１〜１５０ｐｐｍｗの範囲である。
【００９２】
燃料組成物中の霞み（曇り）防止剤の（活性分）濃度は、好ましくは０．１〜２０ｐｐｍｗ、更に好ましくは１〜１５ｐｐｍｗ、なお更に好ましくは１〜１０ｐｐｍｗ、有利には１〜５ｐｐｍｗの範囲である。存在すれば転化向上剤の（活性分）濃度は、好ましくは２６００ｐｐｍｗ以下、更に好ましくは２０００ｐｐｍｗ以下、有利には３００〜１５００ｐｐｍｗの範囲である。燃料組成物中の洗浄剤の（活性分）濃度は、好ましくは５〜１５００ｐｐｍｗ以下、更に好ましくは１０〜７５０ｐｐｍｗ、最も好ましくは２０〜５００ｐｐｍｗの範囲である。
【００９３】
所望ならば、前述のような１種以上の添加剤は、好ましくは好適な希釈剤と一緒に、添加剤濃厚物中に同時混合（co−mix）し、次いで燃料組成物を作るため、この添加剤濃厚物をディーゼルベース燃料又は燃料組成物中に分散してよい。粘度指数向上剤は、本発明に従って、このような添加剤配合物に取込んでよい。
【００９４】
ディーゼル燃料組成物の場合、例えば燃料添加剤混合物は、任意に前述のような他の成分と一緒に、洗浄剤及びディーゼル燃料相溶性希釈剤を含有する。この種の希釈剤は鉱油、溶剤、例えばシェル社から商品名“ＳＨＥＬＬＳＯＬ”で販売されている溶剤、極性溶剤、例えばエステル及び特にアルコール、例えばヘキサノール、２−エチルヘキサノール、デカノール、イソトリデカノール及びアルコール混合物、例えばシェル社から商品名“ＬＩＮＥＶＯＬ”で販売されているアルコール混合物、特にＣ７〜Ｃ９のアルコール混合物からなるＬＩＮＥＶＯＬ  ７９アルコール、又はＣ１２〜Ｃ１４のアルコール混合物（市販されている）であってよい。
【００９５】
燃料組成物中の添加剤の合計含有量は、好適には０〜１００００ｐｐｍｗ、好ましくは５０００ｐｐｍｗ未満である。
明細書中、成分の量（濃度、容量％、ｐｐｍｗ、重量％）は活性分の量、即ち、揮発性溶剤／希釈剤材料を除いた量である。
【００９６】
異なる種類及び／又は濃度の添加剤はガソリン燃料組成物に使用するのに適当かも知れない。例えばこのような組成物は、洗浄剤としてポリイソブチレン／アミン及び／又はポリイソブチレン／アミド共重合体を含有してよい。
【００９７】
本発明では自動車燃料組成物の粘度を増大する目的で、該組成物に粘度指数向上剤を使用する方法が提供される。
【００９８】
本発明に関連して、粘度の“増大”とは、いかなる増大の程度も包含する。この増大は、粘度指数向上剤を添加する前の燃料組成物の粘度と比較してよい。この増大は、内燃機関、特にディーゼルエンジンへの使用を意図した他の類似の燃料組成物に粘度指数向上剤を添加する前に、該燃料組成物の粘度と比較してよい。
【００９９】
本発明は、所望の目標粘度を達成するため、粘度指数向上剤を使用して燃料組成物の粘度を調節する工程を含む。
【０１００】
粘度指数向上剤は、燃料組成物のＶＫ  ４０粘度を０．０５ｍｍ２／ｓ以上、好ましくは０．１、０．２、０．３又は０．４ｍｍ２／ｓ以上、場合によっては０．５、０．６、０．７、０．８又は０．９ｍｍ２／ｓ以上、或いは更には１、１．５又は２ｍｍ２／ｓ以上増大するのに使用される。
【０１０１】
粘度指数向上剤及びこれを燃料組成物に使用する際の濃度は、組成物の１５℃での密度を好適には５ｋｇ／ｍ３以下、好ましくは２ｋｇ／ｍ３以下低下させるような濃度である。この濃度は組成物の密度を低下させないような濃度が好ましい。場合によっては、組成物の密度を増大させるような濃度であってよいかも知れない。密度の低下は、粘度指数向上剤を導入する前の燃料組成物の密度と比較してよい。密度の低下は、内燃（特にディーゼル）機関への使用を意図する（例えば市販する）、粘度指数向上剤を添加する前の他の類似の燃料組成物の密度と比較してよい。密度は、標準的な試験方法であるＡＳＴＭ  Ｄ−４０５２又はＥＮ  ＩＳＯ  ３６７５を用いて測定できる。
【０１０２】
粘度指数向上剤及びこれを燃料組成物に使用する際の濃度は、組成物の低温フィルター目詰まり点（ＣＦＰＰ）を、好適には１０℃以下、好ましくは５、２又は１℃以下、上昇させるような濃度である。この濃度は組成物のＣＦＰＰを上昇させないような濃度が好ましい。場合によっては、組成物のＣＦＰＰを低下させるような濃度であってよいかも知れない。ＣＦＰＰの上昇は、粘度指数向上剤を導入する前の燃料組成物のＣＦＰＰと比較してよい。ＣＦＰＰの上昇は、内燃（特にディーゼル）機関への使用を意図する（例えば市販する）、粘度指数向上剤を添加する前の他の類似の燃料組成物のＣＦＰＰと比較してよい。ＣＦＰＰは、標準的な試験方法であるＥＮ  １１６を用いて測定できる。
【０１０３】
粘度指数向上剤及びこれを燃料組成物に使用する際の濃度は、組成物の曇り点を、好適には１０℃以下、好ましくは５、２又は１℃以下、上昇させるような濃度である。この濃度は組成物の曇り点を上昇させないような濃度が好ましい。場合によっては、組成物の曇り点を低下させるような濃度であってよいかも知れない。曇り点の上昇は、粘度指数向上剤を導入する前の燃料組成物の曇り点と比較してよい。曇り点の上昇は、内燃（特にディーゼル）機関への使用を意図する（例えば市販する）、粘度指数向上剤を添加する前の他の類似の燃料組成物の曇り点と比較してよい。曇り点は、標準的な試験方法であるＥＮ  ２３０１５を用いて測定できる。
【０１０４】
粘度指数向上剤及びこれを燃料組成物に使用する際の濃度は、組成物のＴ９５沸点を、好適には５℃以下、好ましくは２又は１℃以下、上昇させるような濃度である。この濃度は組成物のＴ９５沸点を上昇させないような濃度が好ましい。場合によっては、組成物のＴ９５沸点を低下させるような濃度であってよいかも知れない。Ｔ９５沸点の上昇は、粘度指数向上剤を導入する前の燃料組成物の曇り点と比較してよい。Ｔ９５沸点の上昇は、内燃（特にディーゼル）機関への使用を意図する（例えば市販する）、粘度指数向上剤を添加する前の他の類似の燃料組成物のＴ９５沸点と比較してよい。Ｔ９５沸点は、標準的な試験方法であるＡＳＴＭ  Ｄ−８６又はＥＮ  ＩＳＯ  ３４０５を用いて測定できる。
【０１０５】
本発明の第一局面に関連して前述したように、粘度指数向上剤は、自動車燃料組成物の粘度を理論的に予測した量（値）よりも大きく増大できることが見出された。したがって、本発明の第二の局面では粘度指数向上剤は、所望の目標粘度を達成するのに必要があると理論的に予測した濃度よりも低い濃度で燃料組成物に使用できる。その代わりに又は更に、粘度指数向上剤は、同じ濃度の粘度指数向上剤を用いて達成できることを理論的に予測した粘度よりも高い粘度を達成する目的で使用できる。
【０１０６】
したがって、本発明の第三の局面は、自動車燃料組成物に濃度ｃの粘度指数向上剤を添加する工程であって、該濃度ｃは、該組成物に対する目標最小粘度Ｘ又はそれ以上を達成するため、該組成物に添加する必要があると理論的に予測した粘度指数向上剤の最小濃度ｃ’よりも低い該工程を含む、目標最小粘度Ｘを達成するため、自動車燃料組成物の粘度を増大する方法を提供する。燃料組成物はディーゼル燃料組成物が好ましい。
【０１０７】
理論的に最小の粘度指数向上剤濃度ｃ’、及びこれと、得られる組成物の粘度との関係は、組成物の個々の構成成分の粘度（即ち、通常は粘度指数向上剤及び組成物の残部を構成するベース燃料）に基づく、本発明の第一局面と関連して示した前記式を用いて好適に計算される。
【０１０８】
本発明の第四の局面は、自動車燃料組成物の粘度を、濃度ｃの粘度指数向上剤を使用して達成できることを理論的に予測した量（amount）よりも大きい量、増大させる目的で、自動車燃料組成物に粘度指数向上剤を濃度ｃで使用する方法を提供する。また前記式は、理論的に達成できる粘度増大を計算するのに使用できる。本発明を用いると、組成物の粘度は、同じ濃度ｃの粘度指数向上剤を用いて組成物の粘度を増大することを理論的に予測した量に対し、例えば１５０％以上、或いは場合によっては２００、３００、４００又は４５０％以上増大できる。
【０１０９】
自動車燃料組成物の最大粘度は、関連する地域及び／又は商用規格により制限されることが多いかも知れない。例えばヨーロッパディーゼル燃料規格ＥＮ  ５９０は最大ＶＫ  ４０を４．５ｍｍ２／ｓと規定しているが、スウェーデン・クラス１ディーゼル燃料ではＶＫ  ４０は４．０ｍｍ２／ｓ以下でなければならない。しかし、通常の商用自動車ディーゼル燃料は現在、これらの規格よりも遥かに低い粘度、例えば２〜３ｍｍ２／ｓ程度まで製造されている。したがって、本発明は、他の標準的規格の自動車燃料組成物を導入すべきか、又は導入を意図したエンジンの加速性能が向上するように該組成物の粘度を増大するため、粘度指数向上剤を用いて、このような燃料組成物を処理する方法を含む。
【０１１０】
本発明に関連して、燃料組成物に粘度指数向上剤を“使用すること”とは、該組成物に粘度指数向上剤を、通常、１種以上の燃料成分（通常、ディーゼルベース燃料）及び任意に１種以上の燃料添加剤とのブレンド（即ち、物理的混合物）として、該組成物に導入することを意味する。粘度指数向上剤は、燃料組成物を、該組成物で操作（run）すべきエンジンに導入する前に、導入することが都合良い。その代わりに又は更に、前記使用することは、通常、粘度指数向上剤含有燃料組成物をエンジンの燃焼室に導入することにより、エンジンを該燃料組成物で操作することを含んでよい。
【０１１１】
本発明に従って、粘度指数向上剤を“使用すること”とは、前述した目的の１つ以上を達成するため、特に燃料組成物を導入すべきか、又は導入を意図した内燃（通常、ディーゼル）機関の加速性能を向上するため、粘度指数向上剤を燃料組成物に使用するようにとの指令と一緒に、このような添加剤を供給することを包含してもよい。
【０１１２】
粘度指数向上剤自体は、燃料添加剤、特にディーゼル燃料添加剤として使用するのに好適である、及び／又は使用を意図した配合物の一成分として供給してよい。この場合、粘度指数向上剤は、自動車燃料組成物の粘度に対し該添加剤の効果を与える目的で、及び／又は燃料組成物を導入すべきか、又は導入を意図したエンジンの加速性能に対し該添加剤の効果を与える目的で、このような配合物に含有してよい。
【０１１３】
したがって、粘度指数向上剤は、他の１種以上の燃料添加剤と一緒に添加剤の配合物又はパッケージに取込んでよい。粘度指数向上剤は、例えば洗浄剤、腐食防止剤、エステル、ポリα−オレフィン、長鎖有機酸、アミン又はアミド活性中心を有する成分、及びそれらの混合物から選ばれた１種以上の燃料添加剤と一緒に添加剤配合物に配合してよい。特に粘度指数向上剤は、通常、少なくとも洗浄剤を含有する１種以上のいわゆる性能添加剤と配合してよい。
【０１１４】
粘度指数向上剤は、例えば製油所で燃料成分又は組成物に直接、添加してよい。粘度指数向上剤は、好適な燃料成分に予備希釈し、引続き、自動車燃料組成物全体の一部を形成してよい。
【０１１５】
本発明では前述の目的で自動車燃料組成物に２種以上の粘度指数向上剤を使用してよい。
【０１１６】
本発明の第五の局面では、自動車ベース燃料を粘度指数向上剤とブレンドする工程を含む自動車燃料組成物の製造方法が提供される。ブレンドは、本発明の第一〜第四局面に関連して前述した目的の１つ以上の目的で、特に、得られる燃料組成物の粘度に関連した目的及び／又は燃料組成物を導入すべきか、又は導入を意図した内燃機関の加速性能に対する粘度指数向上剤の効果に関連した目的で行ってよい。燃料組成物は、特にディーゼル燃料組成物であってよい。
【０１１７】
粘度指数向上剤は、例えば製油所で、組成物の他の成分、特にベース燃料とブレンドしてよい。或いは粘度指数向上剤は、製油所の下流で自動車燃料組成物に添加してよい。粘度指数向上剤は、１種以上の他の添加剤を含有する添加剤パッケージの一部として添加してよい。
【０１１８】
本発明の第六の局面は、本発明の第一〜第五局面のいずれか１つの局面に従って製造した燃料組成物を内燃機関の燃焼室に導入する工程を含む内燃機関及び／又はこのような内燃機関（エンジン）を動力とする自動車の操作方法を提供する。また燃料組成物は、本発明の第一〜第四局面に関連して前述した目的の１つ以上の目的で導入することが好ましい。したがって、エンジンは加速性能を向上する目的で操作することが好ましい。
【０１１９】
またエンジンは、特にディーゼルエンジンであってよい。ディーゼルエンジンはターボ過給式エンジンであってよい。ディーゼルエンジンは、直接噴射型、例えばロータリーポンプ、インラインポンプ、ユニットポンプ、電子ユニット噴射器又は共通レール型のもの、或いは間接噴射型であってもよい。ディーゼルエンジンは、重質又は軽質ディーゼルエンジンであってよい。ディーゼルエンジンは、特に電子ユニット直接噴射型エンジンであってよい。
【０１２０】
本明細書の説明及び特許請求の範囲を通じて語句“含む（又は含有する）（comprise）”及び“含有する（又は有する）（contain）”及び語句の変化、例えば“含むこと（comprising）”及び“含む（comprise）”は、“限定されるものではないが、‥‥を含むこと（including but not limited to）”を意味し、他の部分（moieties）、添加剤、成分、整数（integer）又は工程を除外しない。
【０１２１】
本明細書の説明及び特許請求の範囲を通じて、特に状況（context）が要求しない限り、単数は複数を包含する。特に不定冠詞（the indefinite article）を用いる場合、特に状況が要求しない限り、単数は勿論、複数も考慮すると理解すべきである。
本発明の各局面の好ましい特徴は、他の局面のいずれかと関連して説明したとおりであってよい。
【０１２２】
本発明の他の特徴は、以下の実施例から明らかとなろう。一般的に言えば、本発明は明細書（添付の特許請求の範囲及び図面を含む）に開示した複数の特徴のいずれかの新規な特徴、又はいずれかの新規な組み合わせに拡がる。こうして、本発明の特定の特徴、実施態様又は実施例と関連して説明した特徴、整数、特性、化合物、化学部分又は基は、これらと両立する限り、ここに記載したいずれの他の局面、実施態様又は実施例にも利用可能であると理解すべきである。
【０１２３】
更に特に言及しない限り、ここに開示したいずれの特徴も同じ又は類似の目的に役立つ代りの特徴で置き換えてよい。
以下の実施例は、本発明により製造した燃料組成物の特性を説明し、このような組成物のターボ過給式ディーゼルエンジンの性能に対する効果を評価する。
【実施例】
【０１２４】
実施例１〜５については、ディーゼル燃料組成物に３種の異なる粘度指数向上剤を取込んだ。これらの添加剤及びその特性を下記表１に示す。密度及び粘度値は、メーカーのデータシートから取った。
【０１２５】
【表１】
0006046344.tif 000002
【０１２６】
ＳＶＴＭ  ２０６は、スチレン−イソプレンモノマー系固体ブロック共重合体（ＳＶＴＭ  ２００）１５重量％をポリα−オレフィンＰＡＯ６に予め希釈したもの（pre−dilution）である。ＳＶＴＭ  ２６１は、同様な重合体（ＳＶＴＭ  ２６０）１５重量％を高度精製鉱油に予め希釈したものである。両添加剤とも潤滑剤に使用されている。
【０１２７】
ＫｒａｔｏｎＴＭ  Ｇ１６５０Ｅはスチレン−エチレン−ブチレンブロック共重合体である。この重合体は４０℃において固体で、現在、例えば化粧品及びローソクにゲルで使用されている。
【０１２８】
３種の添加剤はいずれも広く市販されている。
これらの添加剤を標準的な市販のディーゼル試験燃料(Ｓｈｅｌｌから)に取り込んで、得られたブレンドの特性に対する効果を評価した。使用した３種の試験燃料Ｆ１〜Ｆ３の特性を下記表２に示す。いずれも硫黄を含有しない石油誘導燃料である。
【０１２９】
【表２】
0006046344.tif 000003
【０１３０】
粘度指数向上剤を添加する前に、これら３種の燃料をフィッシャー・トロプシュ誘導ガス油（Ｓｈｅｌｌ  Ｂｉｎｔｕｌｕから）１０容量％及び市販の脂肪酸メチルエステル（ＡＤＭから）５容量％と、ＤＩＮ  ＥＮ  １４２１４に従ってブレンドした。得られたブレンドの特性を下記表３に示す。
【０１３１】
【表３】
0006046344.tif 000004
【０１３２】
実施例１：粘度に対する粘度指数向上剤の影響
まず、これら添加剤のディーゼル燃料組成物の粘度増大能力を試験した。各添加剤はＦ１燃料ブレンドに対する濃度範囲で添加した。標準試験法ＥＮ  ＩＳＯ  ３１０４を用いて４０℃での動粘度として測定した結果を下記表４に示す。
【０１３３】
【表４】
0006046344.tif 000005
【０１３４】
３種の添加剤は、いずれも比較的低濃度でも燃料粘度を著しく増大させるが判る。比較により、潤滑基油ＨＮＲ  ４０Ｄ（ナフテン性基油、Ｓｈell  Ｈａｒｂｕｒｇ製油所から；従来、レーシング用ディーゼル燃料の粘度及び密度を増大するために使用されているもので、ＶＫ  ４０は８．００７ｍｍ２／ｓ、１５℃での密度は８７９ｋｇ／ｍ３は、Ｆ１ブレンドに６重量％の濃度で取込むと、ＶＫ  ４０を僅か０．１４ｍｍ２／ｓ増大させることが見出された。
【０１３５】
２種のＳＶＴＭ添加剤をＦ２及びＦ３燃料ブレンド中で試験した。これら粘度指数向上剤のＶＫ  ４０（ＥＮ  ＩＳＯ  ３１０４）に対する効果を、それぞれＦ２及びＦ３ブレンドについて下記表５及び６に示す。
【０１３６】
これらのＳＶＴＭ添加剤は、予め希釈された粘度指数向上性重合体を含有するので、これら添加剤を含む混合物の活性構成成分濃度は、実際には著しく低いことに注目すべきである。例えばＳＶＴＭ添加剤を０．５重量％含む燃料組成物は、活性重合体を実際には僅か０．０７５重量％しか含まないし、またＳＶＴＭ添加剤を１．０重量％含む燃料組成物は、活性重合体を実際には僅か０．１５０重量％しか含まない。
【０１３７】
【表５】
0006046344.tif 000006
【０１３８】
【表６】
0006046344.tif 000007
同様に、２種の粘度指数向上剤は非常に低い活性構成成分濃度でも粘度を著しく増大させることが判る。
【０１３９】
実施例２；密度に対する粘度指数向上剤の効果
燃料密度の低下は一般にエンジン性能に有害とみなされると言われているので、ディーゼル燃料成分に使用される添加剤は、確実に全体の密度を望ましくない程度まで低下させないことも重要である。更に、添加剤は理想的には燃料組成物を関連する規格外に取り出せる程度まで密度を増大させてはならない。
【０１４０】
実施例１で述べたＦ１ディーゼル燃料ブレンド及び３種の添加剤を含む混合物を製造した。次いで、これらブレンドの１５℃での密度を標準試験法ＥＮ  ＩＳＯ  ３６７５に従って測定した。結果を下記表７に示す。
【０１４１】
【表７】
0006046344.tif 000008
Ｆ２及びＦ３ディーゼル燃料ブレントについて、密度に対するＳＶＴＭ添加剤の効果も調べた。結果をそれぞれ表８、表９に示す。
【０１４２】
【表８】
0006046344.tif 000009
【０１４３】
【表９】
0006046344.tif 000010
【０１４４】
表７〜９から２種のＳＶＴＭ添加剤は、２重量％以下の処理割合（rate）では多少の中和効果を示すのに対し、ＫｒａｔｏｎＴＭ添加剤は１重量％の濃度で僅かな密度増大を示すことが判る。
【０１４５】
実施例３：常温流れ特性に対する粘度指数向上剤の効果
燃料の常温流れ特性に対する２種のＳＶＴＭ粘度指数向上剤の効果を多くの試験で調べた。
Ｆ１ディーゼル燃料ブレンド及び実施例１で述べたＳＶＴＭ添加剤を含む燃料サンプルを製造した。これらブレンドの低温フィルター目詰まり点（ＣＦＰＰ）を標準試験法ＥＮ  １１６で測定した。結果を下記表１０に示す。
【０１４６】
【表１０】
0006046344.tif 000011
【０１４７】
両添加剤は３種の試験燃料のＣＦＰＰに対し、小乃至中程度の影響を与えることが見出された。
別の試験では、いずれの添加剤も２重量％の濃度で試験燃料の曇り点（ＥＮ  ２３０１５）に対し顕著な影響を与えないことが見出された。
同様な結果は、ＫｒａｔｏｎＴＭ粘度指数向上剤に予想される。
【０１４８】
実施例４：蒸留特性に対する粘度指数向上剤の効果
ディーゼル燃料成分は地域及び／又は消費者規格の順守を要求されることが多い。例えばヨーロッパディーゼル燃料規格ＥＮ  ５９０では自動車ディーゼル燃料のＴ９５（燃料の９５％が蒸留される温度）は、３６０℃以下でなければならない。また高沸点燃料成分はエンジンオイル中に容易に蓄積して、油量を増大させ、オーバーフローの問題を生じる可能性があるので、高沸点燃料成分を高濃度で含むことは望ましくない可能性がある。したがって、いずれの増粘性成分も、該成分が添加される燃料組成物よりも沸点範囲が高いようであるが、増粘性成分は、組成物全体のＴ９５沸点に対する影響をできるだけ少なくすることが望ましい。
【０１４９】
この実験では、各種ディーゼル燃料／添加剤ブレンドのＴ９５沸点を標準試験法ＥＮ  ＩＳＯ  ３４０５で測定した。使用した添加剤は、前記表１に示した通りであり、Ｆ１ブレンドに４重量％未満の濃度で取込んだ。結果を下記表１１に示す。
【０１５０】
【表１１】
0006046344.tif 000012
２種のＳＶＴＭ添加剤をＦ２及びＦ３燃料ブレンド中で試験した。結果を下記表１２に示す。
【０１５１】
【表１２】
0006046344.tif 000013
【０１５２】
本発明で提案した濃度では３種の添加剤のいずれも燃料組成物全体のＴ９５沸点に対し、不当に有害な効果がないことが判る。他の増粘性成分、例えばＨＮＲ  ４０Ｄのような鉱物基油は濃度による沸点の変化割合を更に低くできるかも知れないが、このような成分は操作可能の（workable）粘度増大を達成するには、遙かに高いレベルで含有させる必要があり（例えばＶＫ  ４０で０．２ｍｍ２／ｓの粘度増大を達成するのに、ＫｒａｔｏｎＴＭ  Ｇ１６５０Ｅでは僅か約０．２重量％でよいのに対し、実施例の粘度指数向上剤では約１０重量％必要）、その結果、粘度指数向上剤の蒸留特性への影響は、更に慣用の増粘性成分よりも実際に低いかも知れない。例えば０．２重量％では、ＫｒａｔｏｎＴＭはＦ１試験燃料ブレンドではＴ９５沸点を１℃未満上昇させる。ＳＶＴＭ添加剤は、同様な処理割合で、３℃のオーダー上昇させる。この高い上昇は、これらの添加剤に希釈剤として使用した比較的高沸点の鉱油によるものである。
【０１５３】
したがって、粘度指数向上剤は、本発明で提案した濃度ではディーゼル燃料組成物に不当に有害な副作用を生じるとは思われない。同時に実施例１に示したように、これら添加剤の粘度に対する影響は、他の既知の増粘性成分よりも遙かに良好である。
【０１５４】
実施例５：エンジン性能（Ｉ）に対する粘度指数向上剤の効果
ディーゼル燃料組成物のディーゼル自動車エンジンの加速性能に対する効果を評価するため、粘度指数向上剤を含む本発明のディーゼル燃料組成物をディーゼル動力試験自動車に使用した。
【０１５５】
比較用として使用したベース燃料Ｆ４は、市販の石油誘導主グレード冬季グレードディーゼル燃料（Ｓｈｅｌｌ  Ｈａｒｂｕｒｇ製油所から）である。この燃料は脂肪酸メチルエステル、洗浄剤及びフィッシャー・トロプシュ誘導燃料成分を含有しない。この燃料はヨーロッパディーゼル燃料規格ＥＮ  ５９０に適合し、硫黄を１０ｍｇ／ｋｇ未満含有する。
【０１５６】
本発明の燃料組成物Ｆ１はＦ４と実施例１〜４で使用したＫｒａｔｏｎＴＭ  Ｇ１６５０Ｅ  １重量％とのブレンドである。
ベース燃料Ｆ４の特性を下記表１３に示す。Ｆ４／ＫｒａｔｏｎＴＭブレンド（Ｆ１）のＶＫ  ４０及び密度も同表に示す。
【０１５７】
【表１３】
0006046344.tif 000014
【０１５８】
表１３は、粘度指数向上剤を１重量％の使用濃度で含有すると、ＶＫ  ４０を１．９ｃＳｔ（ｍｍ２／ｓ）を超えて増大させることを示している。
【０１５９】
以下の実験ではターボ過給式ディーゼルエンジンのエンジン速度範囲に亘る加速性能に対する燃料粘度の増大効果を調べ、本発明が特に低エンジン速度での加速性能の向上にどのようにして使用できたかを示す。
【０１６０】
使用した試験自動車は、ＢｏｓｃｈＴＭユニット噴射システム付きＶｏｌｋｓｗａｇｅｎＴＭ  ＰａｓｓａｔＴＭ  ２．０  Ｔｄｉ（２００６年登録）である。出力等級は４２００ｒｐｍで１２５ｋＷ、圧縮比は１８．５である。
【０１６１】
この自動車の性能を台車動力計により丸一日（on  a  single day）、連続的に測定した。ターボ過給器下流の圧力センサーを用いてターボ装入空気圧を測定し、一方、台車動力計からエンジン速度を記入した。１５００、２５００及び３５００ｒｐｍで定速出力を測定した。各試験について、第四ギアでフルスロットル加速を７回繰り返し、定速度出力測定値を５秒間に亘って平均化した。
【０１６２】
燃料の試験順序はＦ４−ＦＩ−Ｆ４−ＦＩ−Ｆ４−ＦＩ−Ｆ４−ＦＩ−Ｆ４である。
下記表１４〜１６にそれぞれ１５００、２５００、３５００ｒｐｍでのエンジン出力、トルク及び増幅圧の測定値を示す。
【０１６３】
【表１４】
0006046344.tif 000015
【０１６４】
【表１５】
0006046344.tif 000016
【０１６５】
【表１６】
0006046344.tif 000017
【０１６６】
出力データはいずれも周囲条件を理由とするため補正した。変数はいずれも５秒間の測定値に亘って平均化した。
表１７に、試験した３つのエンジン速度における２種の試験燃料間のエンジン出力、トルク及び増幅圧力の平均差をまとめた。
【０１６７】
【表１７】
0006046344.tif 000018
【０１６８】
これらの結果は、本発明の燃料組成物では、１５００ｒｐｍで明確に０．７９％の出力利得のあることを示している。しかし、この差は更に高いエンジン速度ではもはや明確ではない。
下記表１８は、両試験燃料について、第四ギアで加速中のエンジン速度によるエンジン出力の変化を示す。
【０１６９】
【表１８】
0006046344.tif 000019
【０１７０】
これらのデータは、本発明の燃料Ｆ１における粘度指数向上剤の存在が約１９００ｒｐｍで１％の最大出力利得を与えることを示す。この場合、極めて低いエンジン速度（約１４００ｒｐｍ未満）では明確なエンジン利得はなく、また約３５００ｒｐｍを超えても何らの利得も観察されない。しかし、広範囲のエンジン速度に亘って出力利得を拡大するため、粘度指数向上剤の性質及び濃度を合わせることは可能であると考えられる。例えば高圧（例えば３０００バールまで）で使用するように設計した粘度指数向上剤は、例えば下記実施例６に示すように、特に最適濃度又はその付近の濃度では高エンジン速度で経験する高圧条件下でも性能の増進に使用できる。
【０１７１】
したがって、この実験から、自動車燃料組成物で特に低エンジン速度で操作するエンジンの加速性能を向上するために、本発明の燃料組成物には粘度指数向上剤を含有できることが確認される。これらの試験試験に使用される自動車については、例えばエンジン出力、エンジントルク及び増幅圧力の増大は、本発明の燃料組成物を用いた場合、粘度指数向上剤を含まない他の燃料組成物と比べると、約１４００〜１９００ｒｐｍのエンジン速度で明らかである。
【０１７２】
実施例６：エンジン性能（ＩＩ）に対する粘度指数向上剤の効果
本発明に従って粘度指数向上剤ＫｒａｔｏｎＴＭ  Ｇ１６５７（Ｋｒａｔｏｎから）の濃度を変化させて４種の試験燃料を用いた他は実施例５を繰り返した。この添加剤は、高圧条件下で使用するのに一層好適であると考えられる。
【０１７３】
試験燃料Ｆ５〜Ｆ８の構成、密度（ＤＩＮ  ＥＮ  ＩＳＯ  ３６７５）及び粘度（ＤＩＮ  ＥＮ  ＩＳＯ  ３１０４）を下記表１９に示す。使用したディーゼルベース燃料は、硫黄を１０ｐｐｍｗ未満含有し、洗浄剤、脂肪酸メチルエステル又はフィッシャー・トロプシュ誘導燃料成分を含まない標準的な市販のディーゼルベース燃料（Ｓｈｅｌｌから）である。
【０１７４】
【表１９】
0006046344.tif 000020
【０１７５】
試験自動車は実施例５で用いたのと同じである。自動車牽引力（tractive  effort）（ＶＴＥ）を３つの異なるエンジン速度で行い、試験燃料毎に２つの試験日数（two test days）毎に２回繰り返した。これらの試験は、ワイドオープンスロットル条件下で行った。加速時間は、第四ギアにおいて１２００〜４５００ｒｐｍで道路荷重条件下に測定した。
【０１７６】
ＶＴＥの結果を、試験日数：１日及び２日についてそれぞれ下記表２０及び２１に示し、また加速時間測定値を表２２に示す。表２３にこれら４種の試験燃料間の試験結果の差をまとめた。
【０１７７】
【表２０】
0006046344.tif 000021
【０１７８】
【表２１】
0006046344.tif 000022
【０１７９】
【表２２】
0006046344.tif 000023
【０１８０】
【表２３】
0006046344.tif 000024
【０１８１】
これらのデータから、粘度指数向上剤含有燃料組成物について、３つの試験したエンジン速度範囲のいずれでも出力利得が確認される。本発明の添加剤含有組成物について加速時間も短縮される。
【０１８２】
性能上の利得は添加剤の濃度に依存することが判る。しかし、高濃度の添加剤は必ずしも性能、特に高エンジン速度での性能を向上するのではなく、したがって、いかなる所定の粘度指数向上剤についての最適濃度もエンジン性能に対する効果を最大化するのに使用可能である。
【０１８３】
本実験では、例えば燃料Ｆ６（添加剤０．２重量％）及びＦ７（添加剤０．４重量％）は、全ての試験条件下で特に良好な性能を示すが、Ｆ８（添加剤０．８重量％）は、低エンジン速度範囲を除いて、Ｆ６及びＦ７よりも性能上の利得が少ない。したがって、この特定の粘度指数向上剤ではエンジンの速度範囲に亘って性能向上を達成するのに好適な処理割合は０．１５〜０．５重量％の範囲かも知れないが、低エンジン速度での性能上の利得が目標の範囲ならば、更に高い添加剤濃度が適切かも知れない。
【０１８４】
本発明により製造した燃料配合物を用いた追加実験から、粘度指数向上剤は、燃料粘度のいかなる所定の増大に対しても、同じ粘度増大を達成するため、更に慣用の増粘性成分（例えば高粘度燃料成分）を用いて得られる場合よりも大きな性能上の利得を得ることが示された。これは、粘度指数向上剤が噴射条件下で高い粘度増大を与えるからで、実施例７で更に説明した。
【０１８５】
実施例７：噴射条件下での粘度増大
粘度指数向上剤の噴射条件下での粘度増大能力を、燃料噴射中に予測できる高圧、高温下での燃料粘度の測定により試験した。これらの実験で使用した燃料組成物を表２４に示す。表中、ディーゼルはＳｈｅｌｌから入手でき、脂肪酸メチルエステルを含まず、芳香族溶剤ＰＬＵＴＯｓｏｌＴＭはＯｃｔｅｌ  Ｄｅｕｔｓｃｈｌａｎｄ  ＧｍｂＨから入手でき、ナフテン系基油ＨＮＲ４０Ｄは前述のとおりであり、ＧＴＬはＳｈｅｌｌ  Ｂｉｎｔｕｌｕから得られるフィッシャー・トロプシュ誘導ガス油であり、また“ＳＶ２００”は前述のとおりである。
【０１８６】
これらの燃料を、表２５から判るように、類似の密度になるような方法でブレンドした。同表から、標準状態（４０℃、１バール）での粘度増大は燃料Ｆ１０では燃料９に比べて大きく、燃料Ｆ１１では燃料９に比べて大きいことが判る。換言すれば、０．２％ｍの粘度指数向上剤の添加で生じた粘度増大は、燃料を更に慣用の成分と再配合して生じた粘度増大よりも小さかった。部分負荷条件を表し得る８０℃、１０００バールでは、Ｆ９と比べたＦ１０及びＦ１１の粘度増大は、ほぼ同等であった。更に完全な負荷条件を表す１５０℃、２０００バールでは、Ｆ９と比べたＦ１１の粘度増大は、Ｆ９と比べたＦ１０の粘度増大よりも大きかった。これは、完全負荷噴射条件でのディーゼル粘度は、粘度指数向上剤により標準測定条件での粘度増大から予測できる量よりも遙かに多量増大できることを示している。したがって、粘度指数向上剤は、同じ標準的粘度増大について、燃料を更に慣用の成分と再配合する場合よりも大きな性能上の利得を与えることが予測される。
【０１８７】
【表２４】
0006046344.tif 000025
【０１８８】
【表２５】
0006046344.tif 000026
【０１８９】
前述の燃料を実施例５と同じ試験法に従ってトヨタアべンシス２．０Ｄ−Ｃａｔで試験した。結果を表２６に示す、２つの低エンジン速度で、粘度指数向上剤含有燃料Ｆ１１は、高粘度用に、更に慣用の成分と配合した燃料よりも大きな利得を与えた。粘度指数向上剤を用いた標準（nomal）状態での粘度増大は僅か０．４１ｍｍ２／ｓであったとしても、またＦ１０による標準状態での粘度増大は０．９９ｍｍ２／ｓであったが、Ｆ１１による加速性の向上はＦ１０による加速性の向上の７５％であり、粘度指数向上剤の使用による性能向上は標準状態での粘度増大から予測できる性能向上よりも大きいことを示している。
【０１９０】
【表２６】
0006046344.tif 000027
【先行技術文献】
【特許文献】
【０１９１】
【特許文献１】ＷＯ−Ａ−２００５／０５４４１１
【特許文献２】ＷＯ−Ａ−０１／４８１２０
【特許文献３】ＧＢ−Ｂ−２０７７２８９
【特許文献４】ＥＰ−Ａ−０１４７８７３
【特許文献５】ＥＰ−Ａ−０５８３８３６
【特許文献６】ＵＳ−Ａ−４１２５５６６
【特許文献７】ＵＳ−Ａ−４４７８９５５
【特許文献８】ＥＰ−Ａ−０５８３８３６
【特許文献９】ＧＢ−Ａ−９６０４９３
【特許文献１０】ＥＰ−Ａ−０１４７２４０
【特許文献１１】ＥＰ−Ａ−０４８２２５３
【特許文献１２】ＥＰ−Ａ−０６１３９３８
【特許文献１３】ＥＰ−Ａ−０５５７５１６
【特許文献１４】ＷＯ−Ａ−９８／４２８０８
【非特許文献】
【０１９２】
【非特許文献１】Ｈｉｒｓｈｆｅｌｄｅｒ等，“Ｍｏｌｅｃｕｌａｒ  Ｔｈｅｏｒｙ  ｏｆ  Ｇａｓｅｓ  ａｎｄ  Ｌｉｑｕｉｄｓ”，第１版，Ｗｉｌｅｙ（ＩＳＢＮ  ０−４７１−４００６５−３）
【非特許文献２】Ｍａｐｌｅｓ（２０００），“Ｐｅｔｒｏｌｅｕｍ  Ｒｅｆｉｎｅｒｙ  Ｐｒｏｃｅｓｓ  Ｅｃｏｎｏｍｉｃｓ”，第２版，Ｐｅｎｎｗｅｌｌ  Ｂｏｏｋｓ（ＩＳＢＮ  ０−８７８１４−７７９−９
【非特許文献３】第５回Ｓｙｎｆｕｅｌｓ  Ｗｏｒｌｄｗｉｄｅ  Ｓｙｍｐｏｓｉｕｍ，Ｗａｓｈｉｎｇｔｏｎ  ＤＣ、１９８５年１１月での論文：ｖａｎ  ｄｅｒ  Ｂｕｒｇｔ等，“Ｔｈｅ  Ｓｈｅｌｌ  Ｍｉｄｄｌｅ  Ｄｉｓｔｉｌｌａｔｅ  Ｓｙｎｔｈｅｓｉｓ  Ｐｒｏｃｅｓｓ（シェル中間蒸留物合成法）”（Ｓｈｅｌｌ  Ｉｎｔｅｒｎａｔｉｏｎａｌ  Ｐｅｔｒｏｌｅｕｍ  Ｃｏｍｐａｎｙ  Ｌｔｄ．，Ｌｏｎｄｏｎ